(57)【要約】【課題】  警備の処理を継続しつつ保守点検やソフトウェアの更新等のメンテナンスが可能な警備センターシステム及び警備センターシステムの動作方法を提供することにある。【解決手段】  第１の通信処理手段又は第２の通信処埋手段が、一時蓄積手段に警備信号情報を蓄積させた後、一時蓄積手段に警備信号情報を蓄積させたのとは異なる第１の通信処理手段又は第２の通信処理手段が、一時蓄積手段に蓄積された警備信号情報を読み取り、第１の処理手段又は第２の処理手段が、一時蓄積手段から読み取った警備信号情報を警備情報に処理し、この警備情報を、一時蓄積手段に警備信号情報を蓄積させたのとは異なる側の第１の警備センター装置の第１の蓄積手段又は第２の警備センター装置の第２の蓄積手段に蓄積することを特徴とする。【選択図】図１
2017126139.tif 000002
【特許請求の範囲】
【請求項１】
警備対象施設の警備状況を監視する警備送信機から電気通信回線を介して該警備状況に関する情報を受け取る警備センターにおける警備センターシステムにおいて、
該警備送信機から送られてきた信号情報である警備信号情報を受信する第１の受信手段及び該第１の受信手段が受信した信号情報である該警備信号情報を、警備業務に適した形態に所定の処理を施した後の警備情報に処理する第１の処理手段からなる第１の通信処理手段と、該警備情報を蓄積するための第１の蓄積手段とを有する第１の警備センター装置と、
該警備送信機から送られてきた信号情報である警備信号情報を受信する第２の受信手段及び該第２の受信手段が受信した信号情報である該警備信号情報を、警備業務に適した形態に所定の処理を施した後の警備情報に処理する第２の処理手段からなる第２の通信処理手段と、該警備情報を蓄積するための第２の蓄積手段とを有する第２の警備センター装置と、
該警備信号情報を蓄積する一時蓄積手段とを備え、
該第１の通信処理手段又は該第２の通信処埋手段が、該一時蓄積手段に該警備信号情報を蓄積させた後、
該一時蓄積手段に該警備信号情報を蓄積させたのとは異なる該第１の通信処理手段又は該第２の通信処理手段が、該一時蓄積手段に蓄積された該警備信号情報を読み取り、
該第１の処理手段又は該第２の処理手段が、該一時蓄積手段から読み取った該警備信号情報を該警備情報に処理し、この該警備情報を、該一時蓄積手段に該警備信号情報を蓄積させたのとは異なる側の該第１の警備センター装置の該第１の蓄積手段又は該第２の警備センター装置の該第２の蓄積手段に蓄積することを特徴とする警備センターシステム。
【請求項２】
前記第１の警備センター装置を前記電気通信回線を介して前記警備状況を処理する稼働側として動作させ、前記第２の警備センター装置を該稼働側の第１の警備センター装置に対して待機側として動作を待機状態とし、この状態で、該第１の警備センター装置の前記第１の通信処理手段又は前記第１の蓄積手段が、前記警備情報を該第２の警備センター装置の前記第２の蓄積手段に蓄積させつつ、該第１の警備センター装置を稼働させ、
該第１の警備センター装置のメンテナンスを行う場合、該待機側の第２の警備センター装置のメンテナンスを予め行った上で、
該稼働側の第１の警備センター装置の該第１の通信処理手段が、前記一時蓄積手段に前記警備信号情報を蓄積させた後、
該待機側の第２の警備センター装置の前記第２の通信処理手段が、該一時蓄積手段に蓄積された該警備信号情報を読み取り、
該第２の処理手段が、該一時蓄積手段から読み取った該警備信号情報を該警備情報に処理し、この該警備情報を、該第２の警備センター装置の該第２の蓄積手段に蓄積した後、
該待機側の第２の警備センター装置を、前記警備送信機との通信を開始させて稼働側にすると共に、該第１の警備センター装置の該警備送信機との通信を停止して待機側にし、
該待機側になった該第１の警備センター装置のメンテナンスを行うことを特徴とする請求項１記載の警備センターシステム。
【請求項３】
前記メンテナンスとして、前記第１の警備センター装置の前記第１の通信処理手段及び前記第１の蓄積手段並びに前記第２の警備センター装置の前記第２の通信処理手段及び前記第２の蓄積手段のソフトウェアの更新を行うことを特徴とする請求項２記載の警備センターシステム。
【請求項４】
警備対象施設の警備状況を監視する警備送信機から電気通信回線を介して該警備状況に関する情報を受け取る警備センターにおける警備センターシステムの動作方法において、
該警備送信機から送られてきた信号情報である警備信号情報を受信する第１の受信手段と該第１の受信手段が受信した信号情報である該警備信号情報を、警備業務に適した形態に所定の処理を施した後の警備情報に処理する第１の処理手段からなる第１の通信処理手段及び該警備情報を蓄積するための第１の蓄積手段とを有する第１の警備センター装置並びに該警備送信機から送られてきた信号情報である警備信号情報を受信する第２の受信手段と該第２の受信手段が受信した信号情報である該警備信号情報を、警備業務に適した形態に所定の処理を施した後の警備情報に処理する第２の処理手段からなる第２の通信処理手段及び該警備情報を蓄積するための第２の蓄積手段とを有する第２の警備センター装置並びに該警備信号情報を蓄積する一時蓄積手段とを備える該警備センターシステムの該第１の通信処理手段又は該第２の通信処埋手段が、該一時蓄積手段に該警備信号情報を蓄積させた後、
該一時蓄積手段に該警備信号情報を蓄積させたのとは異なる該第１の通信処理手段又は該第２の通信処理手段が、該一時蓄積手段に蓄積された該警備信号情報を読み取り、
該第１の処理手段又は該第２の処理手段が、該一時蓄積手段から読み取った該警備信号情報を該警備情報に処理し、この該警備情報を、該一時蓄積手段に該警備信号情報を蓄積させたのとは異なる側の該第１の警備センター装置の該第１の蓄積手段又は該第２の警備センター装置の該第２の蓄積手段に蓄積することを特徴とする警備センターシステムの動作方法。
【請求項５】
前記第１の警備センター装置を前記電気通信回線を介して前記警備状況を処理する稼働側として動作させ、前記第２の警備センター装置を該稼働側の第１の警備センター装置に対して待機側として動作を待機状態とし、この状態で、該第１の警備センター装置の前記第１の通信処理手段又は前記第１の蓄積手段が、前記警備情報を該第２の警備センター装置の前記第２の蓄積手段に蓄積させつつ、該第１の警備センター装置を稼働させ、
該第１の警備センター装置のメンテナンスを行う場合、該待機側の第２の警備センター装置のメンテナンスを予め行った上で、
該稼働側の第１の警備センター装置の該第１の通信処理手段が、前記一時蓄積手段に前記警備信号情報を蓄積させた後、
該待機側の第２の警備センター装置の前記第２の通信処理手段が、該一時蓄積手段に蓄積された該警備信号情報を読み取り、
該第２の処理手段が、該一時蓄積手段から読み取った該警備信号情報を該警備情報に処理し、この該警備情報を、該第２の警備センター装置の該第２の蓄積手段に蓄積した後、
該待機側の第２の警備センター装置を、前記警備送信機との通信を開始させて稼働側にすると共に、該第１の警備センター装置の該警備送信機との通信を停止して待機側にし、
該待機側になった該第１の警備センター装置のメンテナンスを行うことを特徴とする請求項４記載の警備センターシステムの動作方法。
【請求項６】
前記メンテナンスとして、前記第１の警備センター装置の前記第１の通信処理手段及び前記第１の蓄積手段並びに前記第２の警備センター装置の前記第２の通信処理手段及び前記第２の蓄積手段のソフトウェアの更新を行うことを特徴とする請求項５記載の警備センターシステムの動作方法。
【発明の詳細な説明】
【技術分野】
【０００１】
本発明は、警備対象施設の警備状況を監視する警備送信機から電気通信回線を介して警備状況に関する情報を受け取る警備センターにおける警備センターシステム及び警備センターシステムの動作方法に関する。
【背景技術】
【０００２】
従来より、一般の家庭や店舗、工場等の警備対象施設側に、異常を検知するセンサ等を設け、センサ等を警備装置に接続し、警備対象施設の警備状況を監視する警備送信機から電気通信回線を介して警備状況に関する情報を受け取る警備センターにおける警備センターシステムが用いられている。
【０００３】
この警備センターシステムは、保守点検やソフトウェアの更新等のメンテナンスを行う必要があり、警備送信機である警備装置の動作プログラムの更新では、例えば特許文献１に示され、更新前と更新後とで警備の処理を継続して行うことができるものが提案されている。このように警備送信機同様に、警備センターシステムにおいても、警備の処理を継続して行うことができるものが求められている。
【先行技術文献】
【特許文献】
【０００４】
【特許文献１】特開２００４−１５１９７５号公報
【発明の概要】
【発明が解決しようとする課題】
【０００５】
しかしながら、従来の警備センターシステムでは、通信系統の冗長性を確保する方法はあるが、保守点検やソフトウェアの更新等のメンテナンスを行う場合の警備の処理を継続して行うことができるものとして有効な手段がない。
【０００６】
本発明は、このような事情に鑑みてなされたもので、警備の処理を継続しつつ保守点検やソフトウェアの更新等のメンテナンスが可能な警備センターシステム及び警備センターシステムの動作方法を提供することにある。
【課題を解決するための手段】
【０００７】
請求項１記載の警備センター装置は、警備送信機から送られてきた信号情報である警備信号情報を受信する第１の受信手段及び第１の受信手段が受信した信号情報である警備信号情報を、警備業務に適した形態に所定の処理を施した後の警備情報に処理する第１の処理手段からなる第１の通信処理手段と、警備情報を蓄積するための第１の蓄積手段とを有する第１の警備センター装置と、警備送信機から送られてきた信号情報である警備信号情報を受信する第２の受信手段及び第２の受信手段が受信した信号情報である警備信号情報を、警備業務に適した形態に所定の処理を施した後の警備情報に処理する第２の処理手段からなる第２の通信処理手段と、警備情報を蓄積するための第２の蓄積手段とを有する第２の警備センター装置と、警備信号情報を蓄積する一時蓄積手段とを備え、第１の通信処理手段又は第２の通信処埋手段が、一時蓄積手段に警備信号情報を蓄積させた後、一時蓄積手段に警備信号情報を蓄積させたのとは異なる第１の通信処理手段又は第２の通信処理手段が、一時蓄積手段に蓄積された警備信号情報を読み取り、第１の処理手段又は第２の処理手段が、一時蓄積手段から読み取った警備信号情報を警備情報に処理し、この警備情報を、一時蓄積手段に警備信号情報を蓄積させたのとは異なる側の第１の警備センター装置の第１の蓄積手段又は第２の警備センター装置の第２の蓄積手段に蓄積することを特徴とする。
【０００８】
請求項２記載の警備センター装置は、第１の警備センター装置を電気通信回線を介して警備状況を処理する稼働側として動作させ、第２の警備センター装置を稼働側の第１の警備センター装置に対して待機側として動作を待機状態とし、この状態で、第１の警備センター装置の第１の通信処理手段又は第１の蓄積手段が、警備情報を第２の警備センター装置の第２の蓄積手段に蓄積させつつ、第１の警備センター装置を稼働させ、第１の警備センター装置のメンテナンスを行う場合、待機側の第２の警備センター装置のメンテナンスを予め行った上で、稼働側の第１の警備センター装置の第１の通信処理手段が、一時蓄積手段に警備信号情報を蓄積させた後、待機側の第２の警備センター装置の第２の通信処理手段が、一時蓄積手段に蓄積された警備信号情報を読み取り、第２の処理手段が、一時蓄積手段から読み取った警備信号情報を警備情報に処理し、この警備情報を、第２の警備センター装置の第２の蓄積手段に蓄積した後、待機側の第２の警備センター装置を、警備送信機との通信を開始させて稼働側にすると共に、第１の警備センター装置の警備送信機との通信を停止して待機側にし、待機側になった第１の警備センター装置のメンテナンスを行うことを特徴とする。
【０００９】
請求項３記載の警備センター装置は、メンテナンスとして、第１の警備センター装置の第１の通信処理手段及び第１の蓄積手段並びに第２の警備センター装置の第２の通信処理手段及び第２の蓄積手段のソフトウェアの更新を行うことを特徴とする。
【００１０】
請求項４記載の警備センターシステムのメンテナンス方法は、警備送信機から送られてきた信号情報である警備信号情報を受信する第１の受信手段と第１の受信手段が受信した信号情報である警備信号情報を、警備業務に適した形態に所定の処理を施した後の警備情報に処理する第１の処理手段からなる第１の通信処理手段及び警備情報を蓄積するための第１の蓄積手段とを有する第１の警備センター装置並びに警備送信機から送られてきた信号情報である警備信号情報を受信する第２の受信手段と第２の受信手段が受信した信号情報である警備信号情報を、警備業務に適した形態に所定の処理を施した後の警備情報に処理する第２の処理手段からなる第２の通信処理手段及び警備情報を蓄積するための第２の蓄積手段とを有する第２の警備センター装置並びに警備信号情報を蓄積する一時蓄積手段とを備える警備センターシステムの第１の通信処理手段又は第２の通信処埋手段が、一時蓄積手段に警備信号情報を蓄積させた後、一時蓄積手段に警備信号情報を蓄積させたのとは異なる第１の通信処理手段又は第２の通信処理手段が、一時蓄積手段に蓄積された警備信号情報を読み取り、第１の処理手段又は第２の処理手段が、一時蓄積手段から読み取った警備信号情報を警備情報に処理し、この警備情報を、一時蓄積手段に警備信号情報を蓄積させたのとは異なる側の第１の警備センター装置の第１の蓄積手段又は第２の警備センター装置の第２の蓄積手段に蓄積することを特徴とする。
【００１１】
請求項５記載の警備センターシステムのメンテナンス方法は、第１の警備センター装置を電気通信回線を介して警備状況を処理する稼働側として動作させ、第２の警備センター装置を稼働側の第１の警備センター装置に対して待機側として動作を待機状態とし、この状態で、第１の警備センター装置の第１の通信処理手段又は第１の蓄積手段が、警備情報を第２の警備センター装置の第２の蓄積手段に蓄積させつつ、第１の警備センター装置を稼働させ、第１の警備センター装置のメンテナンスを行う場合、待機側の第２の警備センター装置のメンテナンスを予め行った上で、稼働側の第１の警備センター装置の第１の通信処理手段が、一時蓄積手段に警備信号情報を蓄積させた後、待機側の第２の警備センター装置の第２の通信処理手段が、一時蓄積手段に蓄積された警備信号情報を読み取り、第２の処理手段が、一時蓄積手段から読み取った警備信号情報を警備情報に処理し、この警備情報を、第２の警備センター装置の第２の蓄積手段に蓄積した後、待機側の第２の警備センター装置を、警備送信機との通信を開始させて稼働側にすると共に、第１の警備センター装置の警備送信機との通信を停止して待機側にし、待機側になった第１の警備センター装置のメンテナンスを行うことを特徴とする。
【００１２】
請求項６記載の警備センターシステムのメンテナンス方法は、メンテナンスとして、第１の警備センター装置の第１の通信処理手段及び第１の蓄積手段並びに第２の警備センター装置の第２の通信処理手段及び第２の蓄積手段のソフトウェアの更新を行うことを特徴とする。
【発明の効果】
【００１３】
本願発明によれば、警備の処理を継続しつつ保守点検やソフトウェアの更新等のメンテナンスが可能である。
【図面の簡単な説明】
【００１４】
【図１】本発明に係る警備センターシステムを含む警備システム全体の構成の一例を示す構成図である。
【図２】同警備センターシステムの第Ａ系警備センター装置側での通常の動作を示す説明図である。
【図３】同警備センターシステムの第Ａ系警備センター装置のメンテナンスの準備のための動作を示す説明図である。
【図４】同警備センターシステムの第Ａ系警備センター装置の動作を第Ｂ系警備センター装置に切り換えた直後の第Ｂ系警備センター装置の動作を示す説明図である。
【発明を実施するための形態】
【００１５】
以下、本発明の形態について図面を参照しながら具体的に説明する。図１は、本発明に係る警備センターシステムを含む警備システム全体の構成の一例を示す構成図である。図２は、同警備センターシステムの第Ａ系警備センター装置側での通常の動作を示す説明図である。図３は、同警備センターシステムの第Ａ系警備センター装置のメンテナンスの準備のための動作を示す説明図である。図４は、同警備センターシステムの第Ａ系警備センター装置の動作を第Ｂ系警備センター装置に切り換えた直後の第Ｂ系警備センター装置の動作を示す説明図である。
【００１６】
図１において、警備システム全体は、警備対象施設の警備状況を監視する警備端末である警備送信機８から電気通信回線４を介して警備状況に関する情報を受け取って管理・処理を行う警備センターシステム１に及ぶ警備全体のシステムである。そして、警備センターシステム１は、警備対象施設の警備状況を監視する警備送信機８から電気通信回線４を介して警備状況に関する情報を受け取る警備センターにおける構成及び仕組みである。
【００１７】
警備対象施設に設けられた警備送信機８には、ドアの開閉を検知するものや火災を検知するものやガス漏れを検知するものや各種のセンサが接続され、警備対象施設内の不法侵入や火災やガス漏れ等の異常の発生を検知するものである。そして、その異常の発生を電気通信回線４を介して警備センターに設けられた警備センターシステム１に通報する。
【００１８】
警備センターシステム１は、警備送信機８からの異常の通報や、異常の内容を示す情報を受信し、警備センターシステム１内に設けられた電子計算機である監視端末等に表示し（監視端末等は不図示）、警備センターに居る監視員に、警備対象施設で異常が発生したことを伝えるものである。
【００１９】
電気通信回線４は、双方向で情報の伝達が可能な電気通信回線で、一般公衆網（一般電話回線）のような有線回線や携帯電話網のような無線回線で、専用線的な接続や、インターネット網のようなネットワークであってもよく、警備送信機８や警備センターシステム１との間で情報の送受信が可能な電気通信回線であれば、その形態によって制限されるものではない。
【００２０】
警備センターシステム１は、第１の警備センター装置である第Ａ系警備センター装置１０及び第２の警備センター装置である第Ｂ系警備センター装置２０並びに一時蓄積手段である一時蓄積装置３０とで構成されている。
【００２１】
第Ａ系警備センター装置１０及び第Ｂ系警備センター装置２０は、それぞれ同じ構成であり、第Ａ系警備センター装置１０は、受信装置ａ１２、処理装置ａ１４及び蓄積装置ａ１６からなり、第Ｂ系警備センター装置２０は、受信装置ｂ２２、処理装置ｂ２４及び蓄積装置ｂ２６から構成されている。受信装置ａ１２及び受信装置ｂ２２は、それぞれ電気通信回線４を介して警備送信機８から送られてきた信号情報である警備信号情報を受信する第１の受信手段及び第２の受信手段である。また、処理装置ａ１４及び処理装置ｂ２４は、それぞれ第１の受信装置ａ１２及び第２の受信装置ｂ２２が受信した信号情報である警備信号情報を、警備業務に適した形態に所定の処理を施した後の警備情報に処理する第１の処理手段及び第２の処理手段である。
【００２２】
ここで、警備信号情報は、警備送信機８から送られているセンサ等のＯＮ／ＯＦＦ信号等や、そのＯＮ／ＯＦＦ信号等がどのセンサ等のものであるかを示す符号情報信号といった信号レベルでの情報で、警備監視にとって都合のよい形式等には処理・加工されてはいないものである。他方、警備情報は、受信した信号情報である警備信号情報を、警備業務に適した形態に所定の処理を施した後の情報で、警備センターの監視員等が警備端末等で確認しやすい情報になっていたり、発生した事象の時間と一体になっていたりし、多くの場合、データベース化可能な情報である。
【００２３】
尚、受信装置ａ１２及び処理装置ａ１４並びに受信装置ｂ２２及び処理装置ｂ２４は、それぞれで第１の通信処理手段及び第２の通信処理手段を構成している。また、図１では、後述する一時蓄積装置３０に、処理装置ａ１４及び処理装置ｂ２４が接続され、受信装置ａ１２及び受信装置ｂ２２が一時蓄積装置３０に接続されていないように描かれているが、受信装置ａ１２及び受信装置ｂ２２がそれぞれ一時蓄積装置３０に接続される構成でもよく、第１の通信処理手段及び第２の通信処理手段が、それぞれ一時蓄積装置３０に接続されるような形態であればよい。
【００２４】
蓄積装置ａ１６及び蓄積装置ｂ２６は、第１の蓄積手段及び第２の蓄積手段であり、処理装置ａ１４及び処理装置ｂ２４にそれぞれ接続され、処理装置ａ１４及び処理装置ｂ２４で生成された警備情報を、蓄積するための手段である。尚、蓄積装置ａ１６と蓄積装置ｂ２６とは、相互に蓄積された警備情報を授受可能な構成にすることも可能である。
【００２５】
一時蓄積装置３０は、警備信号情報を蓄積する一時蓄積手段であり、図の例では、第Ａ系警備センター装置１０と第Ｂ系警備センター装置２０と独立して設けられている。しかしながら、必ずしも第Ａ系警備センター装置１０や第Ｂ系警備センター装置２０と独立して設ける必要はなく、それぞれに設けることも、片方に設けて使用することも可能である。
【００２６】
尚、図の例では、第Ａ系警備センター装置１０と第Ｂ系警備センター装置２０とが、それぞれ独立したハードウェアのように描かれているが、例えば、１つのコンピュータで、仮想的に第Ａ系警備センター装置１０と第Ｂ系警備センター装置２０との２系統を構成させることも可能であるし、本願発明の実施が可能な形態であれば、ハードウェアの構成によって影響されるものではない。
【００２７】
次に、警備センターシステム１の基本に有する機能について説明する。まず、第１の通信処理手段である受信装置ａ１２若しくは処理装置ａ１４又は第２の通信処埋手段である受信装置ｂ２２若しくは処理装置ｂ２４が、一時蓄積装置３０に警備信号情報を蓄積させる機能を有する。そして、一時蓄積装置３０に警備信号情報を蓄積させたのとは異なる第１の通信処理手段であるところの処理装置ａ１４又は第２の通信処理手段であるところの処理装置ｂ２４が、一時蓄積装置３０に蓄積された警備信号情報を読み取り、処理装置ａ１４又は処理装置ｂ２４が、一時蓄積装置３０から読み取った警備信号情報を警備情報に処理することが可能である。さらに、警備センターシステム１は、一時蓄積装置３０から読み取った警備信号情報を処理した警備情報を、一時蓄積装置３０に警備信号情報を蓄積させたのとは異なる側の第Ａ系警備センター装置１０の処理装置ａ１４が蓄積装置ａ１６又は第Ｂ系警備センター装置２０の処理装置ｂ２４が蓄積装置ｂ２６に蓄積することができる。
【００２８】
次に、以上のような構成と機能を有する警備センターシステム１が、メンテナンスを行う場合の動作について説明する。尚、メンテナンスとは、保守点検やソフトウェアの更新等の全般であるが、以下の説明では、特に、各装置のソフトウェアの更新（バージョンアップ）を例に説明する。また、いずれかを日常的に動作させる稼働側の警備センター装置とし、他方側を待機側の警備センター装置とすることになるが、以下の説明では、第１の警備センター装置である第Ａ系警備センター装置１０を最初に稼働側とし、第２の警備センター装置である第Ｂ系警備センター装置２０を最初に待機側としているが、どちらを稼働側と待機側にしてもよい。
【００２９】
まず、第１の警備センター装置である第Ａ系警備センター装置１０を電気通信回線４を介して警備状況を処理する稼働側として動作させ、第２の警備センター装置である第Ｂ系警備センター装置２０を稼働側の第Ａ系警備センター装置１０に対して待機側として動作を待機状態とする。
【００３０】
この状態で、図２に示すように、第Ａ系警備センター装置１０の通信処理手段である処理装置ａ１４又は第１の蓄積手段である蓄積装置ａ１６が、警備情報を第Ｂ系警備センター装置２０の第２の蓄積手段である蓄積装置ｂ２６に蓄積させつつ、第Ａ系警備センター装置１０を稼働させる。そして、第Ａ系警備センター装置１０のメンテナンスすなわち各装置のソフトウェアの更新を行う場合、まず、待機側の第Ｂ警備センター装置２０の方は、待機期間中にメンテナンスを予め行っておく。
【００３１】
この状態で、稼働側の第Ａ系警備センター装置１０の第１の通信処理手段である処理装置ａ１４（受信装置ａ１２であってもよい）が、一時蓄積手段である一時蓄積装置３０に適宜警備送信機８から送られてくる警備信号情報を蓄積させる（図３）。この一時蓄積装置３０への蓄積は、一定時間間隔で一定の情報単位で行ってもよいし、情報毎に随時行うようにしてもよい。
【００３２】
次に、待機側の第Ｂ系警備センター装置２０の第２の通信処理手段である処理装置ｂ２４（受信装置ｂ２２であってもよい）が、一時蓄積手段に蓄積された警備信号情報を読み取る。そして、処理装置ｂ２４（受信装置ｂ２２）が、一時蓄積装置３０から読み取った警備信号情報を警備情報に処理し、この警備情報を、第Ｂ系警備センター装置２０の第２の蓄積手段である蓄積装置ｂ２６に蓄積する。
【００３３】
この蓄積装置ｂ２６への一時蓄積装置３０の警備信号情報による警備情報の蓄積のタイミング（前後又は蓄積途中であってもよい）で、待機側の第Ｂ系警備センター装置２０を、警備送信機８との通信を開始させて稼働側にすると共に、第Ａ系警備センター装置１０の警備送信機８との通信を停止して待機側にし、待機側になった第Ａ系警備センター装置１０の各装置のメンテナンスすなわちソフトウェアの更新を行う。
【００３４】
その後、第Ｂ系警備センター装置２０を、このまま稼働側として使用してもよいし、上述と逆の手順で、第Ａ系警備センター装置１０に一時蓄積装置３０を用いて警備信号情報を引き渡して、第Ａ系警備センター装置１０を稼働側に戻してもよい。
【００３５】
以上のような構成と動作の警備センターシステム１によれば、警備の処理を継続しつつ保守点検やソフトウェアの更新等のメンテナンスが可能である。
【産業上の利用可能性】
【００３６】
以上のように、本発明によれば、警備の処理を継続しつつ保守点検やソフトウェアの更新等のメンテナンスが可能な警備センターシステム及び警備センターシステムの動作方法を提供することができる。
【符号の説明】
【００３７】
１・・・・警備センターシステム
４・・・・電気通信回線
８・・・・警備送信機
１０・・・第Ａ系警備センター装置
１２・・・受信装置ａ
１４・・・処理装置ａ
１６・・・蓄積装置ａ
２０・・・第Ｂ系警備センター装置
２２・・・受信装置ｂ
２４・・・処理装置ｂ
２６・・・蓄積装置ｂ
３０・・・一時蓄積装置
【図１】
2017126139.tif 000003
【図２】
2017126139.tif 000004
【図３】
2017126139.tif 000005
【図４】
2017126139.tif 000006